(57)【特許請求の範囲】
【請求項１】
開閉体を取り付ける支持部材をヒンジピンを介して回動可能に取り付けた１本足形状の取付部材を有する開閉装置と、この開閉装置の前記取付部材を挿脱可能に取り付けるために装置本体側に設けられた挿入取付孔とから成り、前記取付部材の下端部側に凹部とこの凹部より突設させた係止部を設け、前記挿入取付孔には前記係止部を収容させるガイド縦溝と前記係止部の係合部とを形成させ、前記凹部には前記係合部を収容できる構成とすると共に板バネを取り付け、前記開閉体を前記開閉装置と共に持ち上げて前記取付部材を前記挿入取付孔から取り外す際に、通常の持ち上げ操作では前記係止部と係合部が係合してその取り外しを防止するが、前記係合部で前記板バネを押して前記係止部を前記ガイド縦溝に嵌入させることにより、前記取付部材の前記挿入取付孔からの取り外しを許容するように成したことを特徴とする、開閉装置の抜け防止機構。
【請求項２】
前記支持部材には、当該支持部材内に収装させて前記取付部材との間に前記開閉体を開成方向へ付勢する弾性手段を設けたことを特徴とする、請求項１に記載の開閉装置の抜け防止機構。
【請求項３】
前記取付部材は、これをケース状に構成し、内部に前記支持部材を前記開閉体の開成方向へ付勢する弾性手段を設けたことを特徴とする、請求項１に記載の開閉装置の抜け防止機構。
【請求項４】
前記板バネは、前記凹部内へその一端部において取り付け、他端部側をフリーとしたことを特徴とする、請求項１に記載の開閉装置の抜け防止機構。
【請求項５】
前記板バネは、断面凸形状を呈し前記凹部内へその両端部において取り付けたことを特徴とする、請求項１に記載の開閉装置の抜け防止機構。
【請求項６】
前記板バネは、前記凹部とクロスする方向に設けてその一端部を取付部材に取り付け、その自由端側を前記凹部に臨ませたことを特徴とする、請求項１に記載の開閉装置の抜け防止機構。
【請求項７】
請求項１〜６に各記載の開閉装置の抜け防止手段を用いたことを特徴とする、事務機器。
【発明の詳細な説明】
【技術分野】
【０００１】
本発明は、複写機、印刷機、及びプリンターといったＯＡ機器の原稿圧着板や複合機と称せられる複写機能の他に、プリンター、ファクシミリ、或はスキャナー等の各種機能を有するものの開閉体を装置本体に対して開閉可能に取り付ける際に用いて好適なリフト機能付の開閉装置の抜け防止機構並びにこの抜け防止機構を備えた事務機器に関する。
【背景技術】
【０００２】
従来、複写機、印刷機、及びプリンターといった事務機器においては、本のような厚物の原稿に対処するため、原稿圧着板のリフト機能付きの開閉装置が下記特許文献１に記載されたように公知である。この開閉装置は、基本的には装置本体側へ取り付けられる取付部材と、この取付部材に対してヒンジピンを介して回動可能に取り付けた支持部材とを有し、この支持部材に原稿圧着板の後端部を取り付けて開閉するものである。
【０００３】
この開閉装置にリフト機能を付加する構成としては、原稿自動送り装置付きの原稿圧着板が普及している現在では、大きく分けて支持部材の自由端側にリフト部材をヒンジピンを介して取り付け、このリフト部材に原稿圧着板の後端部を取り付ける構成のものと、下記特許文献１に記載されているように、取付部材を１本足状に形成させ、この１本足状の取付部材を装置本体の後部上端に設けた挿入取付孔へ上下動可能に挿入させた所謂、１本足型と称せられるものとがあり、本発明は後者の１本足型の原稿圧着板の開閉装置の抜け防止機構に関するものである。以上、いずれの場合でも厚物原稿の場合には、原稿圧着板がリフトして当該厚物原稿の上面を略水平に覆うことができるようになっており、このような機能を有するものを原稿圧着板のリフト機能付きの開閉装置と称している。
【０００４】
上述したように、取付部材を１本足形状に構成した１本足型でリフト機能付の原稿圧着板の開閉装置は、本のような厚物原稿をコンタクトガラス上にセットして原稿圧着板を閉じると、当該原稿圧着板が厚物原稿の角に当って、ここを梃子の支点として原稿圧着板が反転し、当該厚物原稿の上面を略水平に覆って外光が露光部に入り込むのを極力防止する構成となっており、この際に、１本足形状の取付部材が挿入取付孔内を上方へスライドして原稿圧着板の反転を許容する構成となっている。
【先行技術文献】
【特許文献】
【０００５】
【特許文献１】特開２００６−３９４４０号公報
【発明の概要】
【発明が解決しようとする課題】
【０００６】
上記特許文献１に記載された原稿圧着板のリフト機能付の開閉装置は、１本足形状の取付部材を兼ねる脚部が挿入取付孔より簡単に抜け出してしまうと、原稿圧着板自体が装置本体より外れてしまうため、取り扱いに不便であったり、自動原稿送り装置付きの原稿圧着板を落としてしまったりするという問題があり、改善を迫られていた。
【０００７】
このことはまた、複合機と称せられる事務機器についても当て嵌まり、例えば修理点検時に一方の事務機器（例えば複写機本体）に対して他方の事務機器（例えばスキャナーの部分）を開いた際に開閉装置の取付脚部の方が容易に挿入取付孔より外れてしまうと、落下してケガをする恐れや、機器を破損させてしまう恐れがあることから、この開閉装置にも同じような改善が求められている。
【０００８】
そこで、本発明の目的は、簡単な構成で開閉装置が装置本体から抜け出ないように工夫した開閉装置の抜け防止機構並びにこの抜け防止機構を備えた事務機器を提供せんとするにある。
【課題を解決するための手段】
【０００９】
上記した目的を達成するために本発明は、開閉体を取り付ける支持部材をヒンジピンを介して回動可能に取り付けた１本足形状の取付部材を有する開閉装置と、この開閉装置の前記取付部材を挿脱可能に取り付けるために装置本体側に設けられた挿入取付孔とから成り、前記取付部材の下端部側に凹部とこの凹部より突設させた係止部を設け、前記挿入取付孔には前記係止部を収容させるガイド縦溝と前記係止部の係合部とを形成させ、前記凹部には前記係合部を収容できる構成とすると共に板バネを取り付け、前記開閉体を前記開閉装置と共に持ち上げて前記取付部材を前記挿入取付孔から取り外す際に、通常の持ち上げ操作では前記係止部と係合部が係合してその取り外しを防止するが、前記係合部で前記板バネを押して前記係止部を前記ガイド縦溝に嵌入させることにより、前記取付部材の前記挿入取付孔からの取り外しを許容するように成したことを特徴とする。
【００１１】
その際に本発明は、前記支持部材に、当該支持部材内に収装させて前記取付部材との間に前記開閉体を開成方向へ付勢する弾性手段を設けたことを特徴とする。
【００１２】
さらに本発明は、前記取付部材をケース状に構成し、内部に前記支持部材を前記開閉体の開成方向へ付勢する弾性手段を設けたことを特徴とする。
【００１３】
さらに本発明は、前記板バネを、前記凹部内へその一端部において取り付け、他端部側をフリーとしたことを特徴とする。
【００１４】
さらに本発明は、前記板バネを、断面凸形状を呈するように構成し、前記凹部内へその両端部において取り付けたことを特徴とする。
【００１５】
さらに本発明は、前記板バネを、前記凹部とクロスする方向に設けてその一端部を取付部材に取り付け、その自由端側を前記凹部に臨ませたことを特徴とする。
【００１６】
そして、本発明は、上記した各開閉装置の抜け防止手段を備えたことを特徴とする事務機器とすることができる。
【発明の効果】
【００１７】
本発明は以上のように構成したので、取付部材を兼ねる脚部に設けた係止部と、挿入取付孔に設けた係合部とが係合し、通常の状態では脚部が挿入取付孔より抜け出ないので、開閉装置を取り付けた例えば自動原稿送り装置つきの原稿圧着板のような重量のある開閉体が、落下して壊れてしまったり、使用者が怪我をしてしまったりするのを有効に防止することができるものである。
【図面の簡単な説明】
【００１８】
【図１】本発明を実施した複写機を概略的に示す平面図である。
【図２】本発明に係る１本足型でリフト機能付の原稿圧着板開閉装置の抜け防止機構の構成を概略的に示す、側断面図である。
【図３】本発明に係る原稿圧着板開閉装置単体の側面図である。
【図４】図３に示した原稿圧着板開閉装置の背面図である。
【図５】図３に示した原稿圧着板開閉装置単体の側断面図である。
【図６】装置本体側に設ける挿入取付孔の斜視図である。
【図７】本発明に係る開閉装置の抜け防止機構の板バネを示し、（ａ）はその正面図、（ｂ）はその平面図である。
【図８】本発明に係る開閉装置の抜け防止機構の動作を説明する説明図であり、（ａ）はリフト動作前の状態を示し、（ｂ）はリフト状態を示し、（ｃ）は抜き取り時の状態を示し、（ｄ）は抜き取り後の状態を示している。
【図９】本発明に係る開閉装置の抜け防止機構の板バネの他の実施例を示し、（ａ）はその正面図、（ｂ）はその平面図である。
【図１０】本発明に係る開閉装置の抜け防止機構の他の実施例を示し、（ａ）はその背面図、（ｂ）はその左側面図である。
【図１１】本発明に係る開閉装置の抜け防止機構の他の実施例を示し、（ａ）はその要部の部分の背面図、（ｂ）はその左側面図である。
【図１２】本発明に係る開閉装置の抜け防止機構の他の実施例を示す側断面図である。
【図１３】本発明に係る開閉装置の抜け防止機構の動作を説明する説明図である。
【発明を実施するための形態】
【００１９】
本発明を実施する最良の形態は、複写機の原稿圧着板を構成する開閉体を取り付ける支持部材をヒンジピンを介して回動可能に取り付けた１本足形状の取付部材を有する開閉装置と、この開閉装置の前記取付部材を挿脱可能に取り付けるために装置本体側に設けられた挿入取付孔とから成り、前記取付部材の下端部側に弾性手段を臨ませた凹部とこの凹部より突設させた係止部を設け、前記挿入取付孔には前記係止部を収容させるガイド縦溝を前記挿入取付孔の入口より若干下側より設けて前記係止部の係合部を形成させるものである。
【００２０】
以下に本発明を複写機単体のものに実施した場合について説明するが、本発明は、複写機以外のスキャナー、印刷機単体等にも実施でき、複写機とスキャナー、ファクシミリ、スキャナーの機能を併せ持つ複合機等の事務機器に広く実施できるものである。
【実施例１】
【００２１】
図１乃至図２において、指示記号Ａで模式的に示したものは、事務機器の１例としての複写機である。この複写機Ａは、装置本体Ｂと、この装置本体Ｂの上面に開閉装置Ｃを介して開閉可能となるように取り付けられた開閉体の１例としての原稿圧着板Ｄと、で構成されている。
【００２２】
開閉装置Ｃは、図１に示したように、通常適宜間隔を空けて、同一構成のものが一対用いられる構成である。尚、この開閉装置は他の構成のものと組み合わせて一対用いられても良い。以下の説明では同一構成の一対のもののそのうちの一方のものについて、その構成を説明する。
【００２３】
とくに図２乃至図５において、指示記号１で示したものは取付部材を兼ねる１本足形状の脚部であり、この脚部１は、装置本体Ｂの後部上面に上下方向に設けた平面略矩形状の挿入取付孔２に対し、上下方向へ移動可能に挿入して固定されている。
【００２４】
脚部１は、横断面略矩形状を呈したケース状のもので、底板１ａと、この底板１ａの両側より立ち上げた両側板１ｂ、１ｂ及び前部板１ｅ、後部板１ｆと、この両側板１ｂ、１ｂ及び前部板１ｅ、後部板１ｆの上部に形成された固定カム部１ｃとで構成された、例えばＰＯＭのような合成樹脂の成型品であるが、このものに限定されない。プレス加工品であっても良い。この脚部１の固定カム部１ｃのカム部両側板１ｄ、１ｄには、ヒンジピン３を介して、支持部材４がその両側板４ａ、４ａを回動可能に軸支させている。
【００２５】
この支持部材４は、両側板４ａ、４ａをその両側部より垂下させた上板４ｂと、この上板４ｂの一端部より垂下させた閉塞板４ｃとから成る例えばＳＵＳのような金属板をプレス加工して作ったケース状のもので、両側板４ａ、４ａの下端側には、これを内側に折り曲げて抱持部４ｄ、４ｄが設けられると共に、この抱持部４ｄ、４ｄより若干上方に位置して、両側板４ａ、４ａの一部を切り取って外側へ折り曲げることによって作った取付板４ｅ、４ｅが設けられている。閉塞板４ｃは、両側板４ａ、４ａの端部を内側へ折り曲げた補強部４ｆ、４ｆにより内側から押圧力が加わっても外側へ開いてしまうのを防止されている。
【００２６】
支持部材４の両側板４ａ、４ａと上板４ｂとで囲まれたケース状の部分に摺動可能に収装されているのは、一端閉塞の筒状を呈したカムスライダー５であり、このカムスライダー５は、その下部両側を抱持部４ｄ、４ｄで抱えられることにより、支持部材４の下側へ落下してしまわないように工夫されている。
【００２７】
尚、この支持部材４は、これをＰＯＭのような合成樹脂の成型品とすることもでき、この場合には、抱持部４ｄ、４ｄの部分をつなげて、全体として、角筒状のものとすることができる。
【００２８】
カムスライダー５と支持部材４の閉塞板４ｃとの間には、例えばコンプレッションスプリングのような弾性手段６が弾設され、カムスライダー５のカム部５ａを固定カム部１ｃのカム部１ｇ側へ摺動付勢させている。カムスライダー５と固定カム部１ｃは、カム機構Ｅを構成し、弾性手段６により互いのカム部５ａと１ｇを圧接させている。
【００２９】
尚、指示記号７で示されたものは、詳細には図示してないが支持部材４の回動防止手段を構成する揺動部材であり、支持ピン８を介して支持部材４の両側板４ａ、４ａに揺動可能に取り付けられている。
【００３０】
支持ピン８は、固定カム部１ｃのカム部両側板１ｄ、１ｄに設けた円弧状のガイド孔１ｈ、１ｈに挿通されている。この揺動部材７と連係する他の部材やその機能の説明は省略する。この揺動部材７と支持ピン８は本願発明の構成とは必ずしも関連しない部分であり、揺動部材７と支持ピン８を省略すると、ガイド孔１ｈ、１ｈをも省略できる。この場合、取付部材を兼ねる脚部１は中実状、或は中空のケース状のいずれに構成しても良い。
【００３１】
本願発明に係る開閉装置Ｃの抜け防止機構Ｆは、装置本体Ｂに形成させた平面矩形状を呈した挿入取付孔２と、この挿入取付孔２に対して挿脱可能に取り付けられる開閉装置Ｃの取付部材を兼ねる脚部１とで構成されている。挿入取付孔２には、とくに図６に示したように、その入口２ａより少し下がった位置からガイド縦溝２ｂを設けることにより、係合部２ｃを形成させてあり、脚部１には、その下端部に当該脚部１と直交する方向に係止部１ｊが突設されている。
【００３２】
また、凹部１ｉ内には、その中央部を外側へ湾曲させて板バネから成る弾性手段９がその一端部に設けた挿入取付孔９ｂを介して取付ビス１０で取り付けられており、この弾性手段９の湾曲部９ａは通常時は脚部１の外側へ突出して挿入取付孔２の内壁に圧接して脚部１を挿入取付孔２の片側へ押圧させている。
【００３３】
脚部１を挿入取付孔２内へ挿通させた状態、即ち開閉装置Ｃの装置本体Ｂへ装着時において、係止部１ｊとガイド縦溝２ｂとの間には、とくに図５に示したように間隙ａが設けられ、挿入取付孔２の係合部２ｃを設けた側と脚部１との間にも若干の間隙ｂが設けられている。
【００３４】
したがって、図１３に示したように、本のような厚物原稿１１の場合に、この厚物原稿１１をコンタクトガラス１２上へ載置してその上面を覆うべく原稿圧着板Ｄを閉じると、当該原稿圧着板Ｄは厚物原稿１１の端部に当って、そこを支点として梃子の原理で実線で示したように反転し、その際に脚部１が挿入取付孔２内を上方へスライドして原稿圧着板Ｄをリフトさせ、厚物原稿１１の上面を水平に覆って外光がコンタクトガラスにより装置本体Ｂの図示してない露光部に浸入するのを可及的に防止するものである。この際に、上方へスライドする脚部１はその係止部１ｊが係合部２ｃと係合するので、厚物原稿１１の厚さが脚部１の長さより厚い場合でも、脚部１が挿入取付孔２より直ちに外れてしまうことはない。
【００３５】
或は、複合機と称せられている複合機に用いたい場合で、複写機の部分に重ねて例えばスキャナーを設けたものの場合には、スキャナーを修理や点検の際に当該スキャナーの下部に重ねて配置した装置本体に対して開いた状態にしても、開閉装置の脚部が挿入取付孔より抜け出て複写機側の原稿圧着板が落下してしまうことを極めて有効に防止できるものである。
【００３６】
次に、開閉装置Ｃの支持部材４に取り付けた原稿圧着板Ｄを装置本体Ｂに対して取り外すときには、図８の（ｂ）に示したように、脚部１に設けた係止部１ｊが挿入取付孔２に設けた係合部２ｃと係合した状態から、脚部１を係合部２ｃ側へ押すと、弾性手段９の弾力に抗して脚部１の下端部が係合部２ｃ側へ移動するので、図８の（ｃ）に示したように、脚部を傾けることにより、当該脚部１が挿入取付孔２よりはずれ、図８の（ｄ）に示したように上方へ抜き取ることができるものである。この際に、脚部１の下端部の係止部１ｊを設けた側とは反対側にアール部１ｋを設けると、この抜き取りがよりスムーズになされるものである。
【００３７】
次に、抜き取った脚部１を再び挿入取付孔２へ挿入させる場合には、先ほどとは逆に、脚部１を傾け、先ず係止部１ｊを設けた側から挿入取付孔２へ挿入させて、当該係止部１ｊをガイド縦溝２ｂ内に入れ、脚部１を係合部２ｃの側へ押してやると、挿入取付孔２の係合部２ｃに当接する弾性手段９の弾力に抗して脚部１が移動するので、脚部１を元位置に戻すと、アール部１ｋの部分が挿入取付孔２内へ嵌入する。そこで、そのまま脚部１を下方へ押すことにより、当該脚部１が挿入取付孔２内を下降して装着が終了する。この状態を示したものが図５であり、図８の（ａ）である。
【００３８】
以上のようにして、脚部の挿入取付孔への装着、リフト動作、及び取り外しがなされるものである。
【実施例２】
【００３９】
図９は、上述した実施例１の脚部１の凹部１ｉ内に取り付ける弾性手段の他の実施例を示す。図面によれば、この実施例に係る弾性手段１５は平面凸形状を呈し、両端部に挿入取付孔１５ａ、１５ａが設けられている。したがって、図示はしてないが、脚部１に設けた凹部内に取付ネジで取り付けられ、凸部１５ｂの部分が凹部より若干突出する構成となる。係止部の取付位置と形状は先の実施例１のものと同じである。
【実施例３】
【００４０】
図１０は、実施例１の脚部１の凹部１ｉに臨ませる弾性手段の他の実施例を示す。図面によれば脚部１６に設けた凹部１６ａと直交する方向に弾性手段１７がその一端部を取付ネジ１８で取り付けられており、この弾性手段１７の自由端側が凹部１６ａより若干外側へ突出するようになっている。
【００４１】
尚、以上いずれの実施例においても、抜け防止機構を構成する弾性手段を脚部へ取り付ける手段は、取付ネジの他にかしめその他の公知の取付手段によることができる。
【００４２】
この弾性手段１７は、凹部１６ａの上部に設けた取付凹部１９に取り付けられており、自由端側を除いては脚部１より外側へ突出していない。係止部１６ｂの位置や大きさ形状等については、実施例１のものと同じである。また、開閉装置のその他の構成も実施例１のものと同じであるので、説明を省略する。
【実施例４】
【００４３】
図１１は、本発明に係る開閉装置の抜け防止手段の他の実施例を示し、図面によれば、脚部２０に設けた凹部２０ａ内には弾性手段が設けられていない。他の係止部２０ｂの構成は実施例１のものと同じである。このように実施しても本願発明の目的は達成できる。
【実施例５】
【００４４】
図１２は、開閉装置のさらに他の実施例を示す。実施例１のものは支持部材４を原稿圧着板の開成方向へ付勢する弾性手段は、支持部材４の側に設けられていたが、図１２による実施例５の開閉装置Ｇは、取付部材を兼ねる脚部２１をケース状に構成して、内部に圧縮コイルスプリングから成る弾性手段２２を収装させてあり、この弾性手段２２の上端部にスライダー２３を被せて、このスライダー２３の上面と接触させて、支持部材２４の側にカム部２４ａを設けられている。
【００４５】
このように構成した開閉装置Ｇにおいても本発明を実施でき、脚部２１の下端部側に実施例１と同じ構造の凹部２１ａと係止部２１ｂと弾性手段２５を有している。したがって、抜け防止機構Ｆとしての作用効果は実施例１のものと同じである。
【産業上の利用可能性】
【００４６】
以上詳細に説明したように、本願発明は、リフト機能を持つ開閉装置の構成を簡単にした上で、取付部材を兼ねる１本足形状の脚部が装置本体の挿入取付孔より容易に抜け出さないように成したので、とくに複写機単体、或は複写機を含む複合機等の事務機器の原稿圧着板の開閉装置の抜け防止機構として好適に用いられるものである。
【符号の説明】
【００４７】
Ａ  複写機
Ｂ  装置本体
Ｃ  開閉装置
Ｄ  原稿圧着板
Ｅ  カム機構
Ｆ  抜け防止機構
Ｇ  開閉装置
ａ  間隙
ｂ  間隙
１  脚部
１ａ  底板
１ｂ  両側板
１ｃ  固定カム部
１ｄ  カム部両側板
１ｅ  前部板
１ｆ  後部板
１ｇ  カム部
１ｈ  ガイド孔
１ｉ  凹部
１ｊ  係止部
１ｋ  アール部
２  挿入取付孔
２ａ  入口
２ｂ  ガイド縦溝
２ｃ  係合部
３  ヒンジピン
４  支持部材
４ａ  両側板
４ｂ  上板
４ｃ  閉塞板
４ｄ  抱持部
４ｅ  取付板
４ｆ  補強部
５  スライダー
５ａ  カム部
６  弾性手段
７  揺動部材
８  支持ピン
９  弾性手段
１０  取付ビス
１１  厚物原稿
１２  コンタクトガラス
１５  弾性手段
１５ａ  取付孔
１６  脚部
１６ａ  凹部
１６ｂ  係止部
１７  弾性手段
１８  取付ビス
１９  取付凹部
２０  脚部
２０ａ  凹部
２０ｂ  係止部
２１  脚部
２１ａ  凹部
２１ｂ  係止部
２２  弾性手段
２３  スライダー
２４支持部材
２４ａ  カム部
２５  弾性手段
【図１】
0005569925.tif 000002
【図２】
0005569925.tif 000003
【図３】
0005569925.tif 000004
【図４】
0005569925.tif 000005
【図５】
0005569925.tif 000006
【図６】
0005569925.tif 000007
【図７】
0005569925.tif 000008
【図８】
0005569925.tif 000009
【図９】
0005569925.tif 000010
【図１０】
0005569925.tif 000011
【図１１】
0005569925.tif 000012
【図１２】
0005569925.tif 000013
【図１３】
0005569925.tif 000014